(57)【要約】【課題】熱がハウジング内に籠もることなく、ハウジング内の温度上昇を抑制することが可能なヒュージブルリンクユニットを提供する。【解決手段】複数の端子部１３が連鎖状に形成された第１ヒューズ回路構成体２と、オルタネータに接続されるオルタネータ接続部２７と各分岐可溶体２２を介して複数の端子部２３が連鎖状に形成されると共に、第１ヒューズ回路構成体２とオルタネータ可溶体７を介して接続される第２ヒューズ回路構成体３と、第１ヒューズ回路構成体２と第２ヒューズ回路構成体４とが装着されるハウジング４とで形成されるヒュージブルリンクユニット１である。バッテリ接続部１７をハウジング４の一側部に配置し、オルタネータ接続部２７をハウジング４の他側部に配置し、オルタネータ可溶体７を前記バッテリ接続部１７及びオルタネータ接続部２７からそれぞれ離間した位置に配置する。【選択図】図３
2010102949.tif 000002
【特許請求の範囲】
【請求項１】
バッテリに接続されるバッテリ接続部と各分岐可溶体を介して複数の端子部が連鎖状に形成された第１ヒューズ回路構成体と、
オルタネータに接続されるオルタネータ接続部と各分岐可溶体を介して複数の端子部が連鎖状に形成されると共に、前記第１ヒューズ回路構成体とオルタネータ可溶体を介して接続される第２ヒューズ回路構成体と、
前記第１ヒューズ回路構成体と第２ヒューズ回路構成体とが装着されるハウジングとで形成されるヒュージブルリンクユニットであって、
前記バッテリ接続部を前記ハウジングの一側部に配置し、前記オルタネータ接続部を前記ハウジングの他側部に配置し、前記オルタネータ可溶体を前記バッテリ接続部及びオルタネータ接続部からそれぞれ離間した位置に配置したことを特徴とするヒュージブルリンクユニット。
【請求項２】
請求項１記載のヒュージブルリンクユニットであって、
前記ハウジングは上部に開口部が形成され、該開口部から前記第１、第２ヒューズ回路構成体がハウジング内に装着され、前記開口部はカバーで被われ、
前記カバーとハウジングの一側部及び他側部にハウジング内の熱気を外方へ案内排出させる案内部が設けられていることを特徴とするヒュージブルリンクユニット。
【請求項３】
請求項１又は２記載のヒュージブルリンクユニットであって、
前記第１ヒューズ回路構成体は、長尺板状の連結プレートに複数の分岐可溶体を介して複数の端子部が連鎖状に形成され、前記連結プレートの一端側にバッテリ用端子部が形成され、
前記第２ヒューズ回路構成体は、長尺板状の連結プレートに複数の分岐可溶体を介して複数の端子部が形成され、前記連結プレートの他端側にオルタネータ用端子部が形成され、
前記バッテリ用端子部が前記ハウジングの一側部に位置し、前記オルタネータ用端子部がハウジングの他側部に位置するように前記第１ヒューズ回路構成体と第２ヒューズ回路構成体とをハウジング内に並列させて収容させたことを特徴とするヒュージブルリンクユニット。
【発明の詳細な説明】
【技術分野】
【０００１】
本発明は、可溶体を介した端子部が連鎖状に連結されるヒューズ回路構成体を有した連鎖型大電流用のヒュージブルリンクユニットに関する。
【背景技術】
【０００２】
従来のヒュージブルリンクユニットとして、特許文献１に示されたものがある。このヒュージブルリンクユニットは、第１ヒューズ回路構成体と、第２ヒューズ回路構成体と、これらのヒューズ回路構成体が組み込まれるハウジングとを備えている。
【０００３】
第１ヒューズ回路構成体は、バッテリに接続されるバッテリ接続部を有し、第２ヒューズ回路構成体は、オルタネータに接続されるオルタネータ接続部を有している。これらの第１ヒューズ回路構成体及び第２ヒューズ回路構成体は連結プレートを有し、この連結プレートに分岐可溶体を介して複数の端子部が連鎖状に形成されている。
【０００４】
第１ヒューズ回路構成体及び第２ヒューズ回路構成体は、相互に平行となるようにハウジング内に収容される、これらのヒューズ回路構成体は、共通端子部を有しており、第１ヒューズ回路構成体及び第２ヒューズ回路構成体がハウジング内に収容されるとき、これらの共通端子部がボルトによって共締めされる。このことにより第１ヒューズ回路構成体と第２ヒューズ回路構成体とが電気的に接続され、第１ヒューズ回路構成体と第２ヒューズ回路構成体とによって所望のヒューズ回路が構成される。
【０００５】
第１ヒューズ回路構成体及び第２ヒューズ回路構成体の複数の端子部には、相手側コネクタの端子が接続される。この場合、相手側コネクタの端子には、それぞれケーブルを介して負荷が接続されており、これらの各負荷にバッテリからの電源が上記ヒューズ回路を介して分配供給される。そして、各負荷側の短絡事故などによって分岐可溶体に所定以上の電流が通電されると、分岐可溶体が発熱によって溶断し、過電流に基づく事故が防止される。
【特許文献１】特開２００４−１２７６９８号公報
【発明の開示】
【発明が解決しようとする課題】
【０００６】
近年、車両スペースの減少に伴ってヒュージブルリンクユニットの小型化が要求されており、いずれも大電流が流れて発熱量が大きなバッテリ接続部、オルタネータ接続部及び共通端子部が近い位置となっている。又、小型化によって第１及び第２ヒューズ回路構成体とハウジングとの間のクリアランスが小さくなる。これらにより、ハウジング内に熱が籠もり易く、ハウジング内の温度が必要以上に上昇し、例えば分岐可溶体が不用意に溶断する等の問題がある。
【０００７】
そこで、本発明は、熱がハウジング内に籠もることなく、ハウジング内の温度上昇を抑制することが可能なヒュージブルリンクユニットを提供することを目的とする。
【課題を解決するための手段】
【０００８】
請求項１記載の発明のヒュージブルリンクユニットは、バッテリに接続されるバッテリ接続部と各分岐可溶体を介して複数の端子部が連鎖状に形成された第１ヒューズ回路構成体と、オルタネータに接続されるオルタネータ接続部と各分岐可溶体を介して複数の端子部が連鎖状に形成されると共に、前記第１ヒューズ回路構成体とオルタネータ可溶体を介して接続される第２ヒューズ回路構成体と、前記第１ヒューズ回路構成体と第２ヒューズ回路構成体とが装着されるハウジングとで形成されるヒュージブルリンクユニットであって、前記バッテリ接続部を前記ハウジングの一側部に配置し、前記オルタネータ接続部を前記ハウジングの他側部に配置し、前記オルタネータ可溶体を前記バッテリ接続部及びオルタネータ接続部からそれぞれ離間した位置に配置したことを特徴とする。
【０００９】
請求項２記載の発明は、請求項１記載の発明であって、前記ハウジングは上部に開口部が形成され、該開口部から前記第１、第２ヒューズ回路構成体がハウジング内に装着され、前記開口部はカバーで被われ、前記カバーとハウジングの一側部及び他側部にハウジング内の熱気を外方へ案内排出させる案内部が設けられていることを特徴とする。
【００１０】
請求項３記載の発明は、請求項１又は２記載の発明であって、前記第１ヒューズ回路構成体は、長尺板状の連結プレートに複数の分岐可溶体を介して複数の端子部が連鎖状に形成され、前記連結プレートの一端側にバッテリ用端子部が形成され、前記第２ヒューズ回路構成体は、長尺板状の連結プレートに複数の分岐可溶体を介して複数の端子部が形成され、前記連結プレートの他端側にオルタネータ用端子部が形成され、前記バッテリ用端子部が前記ハウジングの一側部に位置し、前記オルタネータ用端子部がハウジングの他側部に位置するように前記第１ヒューズ回路構成体と第２ヒューズ回路構成体とをハウジング内に並列させて収容させたことを特徴とする。
【発明の効果】
【００１１】
本発明によれば、第１ヒューズ回路構成体のバッテリ接続部をハウジングの一側部に、第２ヒューズ回路構成体のオルタネータ接続部をハウジングの他側部に配置し、さらに第１ヒューズ回路構成体及び第２ヒューズ回路構成体を接続するオルタネータ可溶体をこれらの接続部から離隔した位置に配置するため、これらに大電流が流れても発熱による熱干渉を小さくすることができる。このため、ハウジング内に熱が籠もることがなく、ハウジング内の温度上昇を抑制することができる。
【発明を実施するための最良の形態】
【００１２】
以下、本発明を図示する実施形態により、具体的に説明する。図１〜図３は、本発明の一実施形態を示し、図１は、連鎖型大電流用のヒュージブルリンクユニットの平面図、正面図及び右側面図、図２は、図１におけるM−M線断面図、図３は、要部の拡大断面図である。
【００１３】
図１〜図３に示すように、ヒュージブルリンクユニット１は、ブスバーである第１ヒューズ回路構成体２と、同じくブスバーである第２ヒューズ回路構成体３と、これらヒューズ構成体２、３が組み込まれる合成樹脂製のハウジング４とを備えている。
【００１４】
図２及び図３に示すように、第１ヒューズ回路構成体２は、略長方形状となっている長尺板状の連結プレート１１と、この連結プレート１１の短手方向に分岐可溶体１２を介して連鎖状に連結された複数の雌端子部１３と、連結プレート１１の短手方向に分岐可溶体１２を介して連結されたビス止め用端子部１４と、連結プレート１１の長手方向の一側（右側）に連結されたバッテリ用端子部１５とを備えている。
【００１５】
分岐可溶体１２は、細幅のクランク状となっており、そのクランク形状の途中に低融点金属が加締め固定されるものであり、それぞれに所定値以上の電流が供給されると溶断されるようになっている。複数の雌端子部１３は、隣接するもの同士がハウジング４の隔壁３１を介して連鎖状に配置されている。
【００１６】
バッテリ用端子部１５には、バッテリ接続部１７が接続される。バッテリ接続部１７は、図１に示すようにハウジング４の外面から突出しており、図示しないハーネスを介して車載のバッテリに接続される。
【００１７】
図２及び図３に示すように、第２ヒューズ回路構成体３は、略長方形状となっている長尺板状のの連結プレート２１と、この連結プレート２１の短手方向に分岐可溶体２２を介して連鎖状に連結された複数の雌端子部２３と、連結プレート２１の短手方向に分岐可溶体２２を介して連結されたビス止め用端子部２４と、連結プレート２１の長手方向の他側（左側）に連結されたオルタネータ用端子部２５とを備えている。
【００１８】
分岐可溶体２２は、第１ヒューズ回路構成体２の分岐可溶体１２と同様に細幅のクランク状となっており、そのクランク形状の途中に低融点金属が加締め固定されるものであり、それぞれに所定値以上の電流が通電されると溶断されるようなっている。雌端子部２３は、第１ヒューズ回路構成体２のものと同様に、隣接するもの同士がハウジング４の隔壁３２を介して連鎖状に配置されている。
【００１９】
オルタネータ用端子部２５には、オルタネータ接続部２７が接続される。オルタネータ接続部２７は、図１に示すように、ハウジング４の外面から突出しており、図示を省略したハーネスを介して車載の発電機に接続される。
【００２０】
第１ヒューズ回路構成体２と第２ヒューズ回路構成体３は、オルタネータ可溶体７を介して接続されている。オルタネータ可溶体７は、所定幅の可溶体によって形成されている。また、オルタネータ可溶体７は、連結プレート１１及び連結プレート２１の間で上下方向に伸びており、一端（下端）が第１ヒューズ回路構成体２の連結プレート１１と一体となっていると共に、他端（上端）が第２ヒューズ回路構成体３の連結プレート２１と一体となっている。このような構造では、分岐可溶体１２を有した第１ヒューズ回路構成体２の連結プレート１１と、分岐可溶体２２を有した第２ヒューズ回路構成体３の連結プレート２１と、オルタネータ可溶体７とは、導電性で平板状のプレート材をプレス加工することにより一体に形成されている。すなわち、この実施形態においては、オルタネータ可溶体７を介して連結プレート１１、２１が一体に連結されており、これにより第１ヒューズ回路構成体２及び第２ヒューズ回路構成体３はハウジング４内に並列して収容される。
【００２１】
オルタネータ可溶体７の長さ方向の途中には、低融点金属が加締め固定されている。従って、オルタネータ可溶体７に所定値以上の電流が通電されると、溶断されるようになっている。
【００２２】
上記構造では、バッテリ接続部１７に接続されるバッテリ用端子部１５がハウジング４の一側部に配置され、オルタネータ接続部２７に接続されるオルタネータ用端子部２５がハウジング４の他側に配置されている。また、第１ヒューズ回路構成体２の連結プレート１１と第２ヒューズ回路構成体３の連結プレート２１との間にオルタネータ可溶体７が設けられており、オルタネータ可溶体７はバッテリ用端子部１５（バッテリ接続部１７）及びオルタネータ用端子部２５（オルタネータ接続部２７）からそれぞれ離隔した位置に配置される。
【００２３】
図１に示すように、ハウジング４は略直方体形状に形成されており、一側部（右側部）からバッテリ接続部１７が横方向に突出し、他側部（左側部）からオルタネータ接続部２７が前方向に突出している。
【００２４】
図２及び図３に示すように、ハウジング４は、上方に開口部３３を有した回路体収容室３４が内部に形成されている。回路体収容室３４の下方には、コネクタハウジング部３５及び端子支持部３７が設けられている。開口部３３は、第１ヒューズ回路構成体２及び第２ヒューズ回路構成体３をハウジング４内に収容するものである。端子支持部３７は、第１ヒューズ回路構成体２のビス止め用端子部１４、第２ヒューズ回路構成体３のビス止め用端子部２４を支持するものである。ハウジング４の上方には、透明なカバー３８が装着され、カバー３８によって開口部３３が塞がれるようになっている。
【００２５】
カバー３８は、ハウジング４の長手方向に沿って開口部３３を被うように取り付けられる。カバー３８の長手方向における連結プレート１１側の一側部（右側部）にはテーパ部４１が形成されている。すなわち、テーパ部４１はバッテリ用端子部１５との近接位置に形成されるものである。テーパ部４１は、ハウジング４の上端から上方に傾斜するように形成されている。また、カバー３８の長手方向における連結プレート２１側の他側部（左側部）にも、テーパ部４３が形成されている。テーパ部４３はオルタネータ用端子部２５との近接位置に形成されるものである。テーパ部４３は、テーパ部４１と同様にハウジング４の上端から上方に傾斜するように形成されている。このような傾斜のテーパ部４１、４３は、ハウジング４内の熱気を外方へ案内して排出させる案内部となる。
【００２６】
上記構成において、各負荷にバッテリやオルタネータからの電源がヒュージブルリンクユニット１のヒューズ回路２、３を介して分配供給される。また、バッテリの電源が少なくなると、オルタネータからバッテリに電源が供給されることにより充電が行われる。
【００２７】
上記構成において、負荷側の短絡事故等によって分岐可溶体１２、２２に所定値以上の電流が通電されると、分岐可溶体１２、２２が発熱によって溶断し、過電流に基づく事故が防止される。また、ヒュージブルリンクユニット１の保守や点検を行う場合には、透明なカバー３８を介してハウジング４内を覗くことにより内部の分岐可溶体１２、２２の状態（溶断の有無等）を確認することができる。
【００２８】
以上の構造において、バッテリ接続部１７に接続されるバッテリ用端子部１５、オルタネータ接続部２７に接続されるオルタネータ用端子部２５には、大電流が流れるため発熱する。また、連結プレート１１、２１を電気的に接続するオルタネータ可溶体７にも大電流が流れるため発熱する。これに対し、この実施形態では、バッテリ用端子部１５がハウジング４の一側部に配置され、オルタネータ用端子部２５がハウジング４の他側部に配置され、且つオルタネータ可溶体７がこれらのバッテリ用端子部１５、オルタネータ用端子部２５から離間した位置に配置されている。このため、これらの部位からの発熱があっても、熱干渉を抑制することができ、ハウジング４内に熱が籠もることがなく、ハウジング４内の温度上昇を抑制することができる。
【００２９】
また、この実施形態では、ハウジング４の開口部３３を被うカバー３８に案内部としてのテーパ部４１、４３を形成している。しかも、テーパ部４１がバッテリ用端子部１５との近接位置に形成され、テーパ部４３がオルタネータ用端子部２５との近接位置に形成されているため、バッテリ用端子部１５からの熱及びオルタネータ用端子部２５からの熱をテーパ部４１、４３からハウジング４の外部に直ちに排出することができる。図３において、矢印Ｙは熱の移動を示している。このような熱の移動によって熱がハウジング４から排出されるため、ハウジング４の温度上昇をさらに抑制することが可能となっている。
【００３０】
さらに、この実施形態では、第１ヒューズ回路構成体２と第２ヒューズ回路構成体３とがオルタネータ可溶体７を介して接続された状態となっており、ハウジング４内に並列状態で収納させることができる。このため、２つの回路構成体をハウジング４内に個々に収容し、これらを電気的に接続する必要がない。従って、ヒュージブルリンクユニット１の組み立てを簡単に行うことができる。
【図面の簡単な説明】
【００３１】
【図１】本発明の一実施形態のヒュージブルリンクユニットを示し、（Ａ）は平面図、（Ｂ）は正面図、（Ｃ）は右側面図である。
【図２】図１におけるＭ−Ｍ線断面図である。
【図３】要部を示す断面図である。
【符号の説明】
【００３２】
１  ヒュージブルリンクユニット
２  第１ヒューズ回路構成体
３  第２ヒューズ回路構成体
４  ハウジング
７  オルタネータ可溶体
１１、２１  連結プレート
１２、２２  分岐可溶体
１３、２３  雌端子部
１４、２４  ビス止め用端子部
１５  バッテリ用端子部
１７  バッテリ接続部
２５  オルタネータ用端子部
２７  オルタネータ接続部
３３  開口部
３４  回路体収容室
３８  カバー
【図１】
2010102949.tif 000003
【図２】
2010102949.tif 000004
【図３】
2010102949.tif 000005